(57)【要約】【課題】一般的なカーテンウォール構法の建築物の外周壁の一部に容易に大画面ＬＥＤ表示装置を組み込むことを目的としている。【解決手段】構造躯体のスラブや梁に固定された支持機構に多数のパネル材を連接して固定することで外周壁を構成するカーテンウォール建築物において、外周壁の一部として大画面ＬＥＤ表示装置を組み込む。リジッドで防水性がある矩形のタイル状部品であって、おもて面に多数のＬＥＤランプが行列配置され、ＬＥＤランプの駆動制御回路が内蔵された多数のＬＥＤタイルを設ける。パネル材として支持機構に固定されるタイル貼付パネルを設け、タイル貼付パネルの外面側にＬＥＤタイルを隙間なく連接して固定するとともに、ＬＥＤタイルの裏側において電気的な配線を施すことでＬＥＤパネルモジュールを構成する。ＬＥＤパネルモジュールのタイル貼付パネルを前記支持機構に固定することで、外周壁の一部となす。【選択図】      図１５
2004191401.tif 000002
【特許請求の範囲】
【請求項１】
つぎの事項（１）〜（４）により特定される方法の発明。
（１）構造躯体のスラブや梁に固定された支持機構に多数のパネル材を連接して固定することで外周壁を構成するカーテンウォール建築物において、外周壁の一部として大画面ＬＥＤ表示装置を組み込む方法である。
（２）リジッドで防水性がある矩形のタイル状部品であって、おもて面に多数のＬＥＤランプが行列配置され、これらＬＥＤランプの駆動制御回路が内蔵された多数のＬＥＤタイルを設ける。
（３）前記パネル材として前記支持機構に固定されるタイル貼付パネルを設け、このタイル貼付パネルの外面側に前記ＬＥＤタイルを隙間なく連接して固定するとともに、これらＬＥＤタイルの裏側において電気的な配線を施すことでＬＥＤパネルモジュールを構成する。
（４）前記ＬＥＤパネルモジュールのタイル貼付パネルを前記支持機構に固定することで、このＬＥＤパネルモジュールを外周壁の一部となす。
【請求項２】
つぎの事項（２１）〜（２４）により特定される物の発明。
（２１）構造躯体のスラブや梁に固定された支持機構に多数のパネル材を連接して固定することで外周壁を構成するカーテンウォール建築物であって、外周壁の一部として大画面ＬＥＤ表示装置が組み込まれている。
（２２）前記パネル材として前記支持機構に固定されるタイル貼付パネルを有し、このタイル貼付パネルの外面側に多数のＬＥＤタイルが隙間なく連接して固定されているとともに、これらＬＥＤタイルの裏側において電気的な配線が施されてＬＥＤパネルモジュールが構成されている。
（２３）前記ＬＥＤタイルは、リジッドで防水性がある矩形のタイル状部品であって、おもて面に多数のＬＥＤランプが行列配置され、これらＬＥＤランプの駆動制御回路が内蔵されている。
（２４）前記ＬＥＤパネルモジュールのタイル貼付パネルが前記支持機構に固定され、このＬＥＤパネルモジュールが外周壁の一部となっている。
【請求項３】
つぎの事項（３１）〜（３３）により特定される物の発明。
（３１）請求項２に記載のカーテンウォール建築物において、外周壁の一部として組み込まれる大画面ＬＥＤ表示装置を構成するためのＬＥＤパネルモジュールである。
（３２）前記パネル材として前記支持機構に固定されるタイル貼付パネルを有し、このタイル貼付パネルの外面側に多数のＬＥＤタイルが隙間なく連接して固定されているとともに、これらＬＥＤタイルの裏側において電気的な配線が施されてＬＥＤパネルモジュールが構成されている。
（３３）前記ＬＥＤタイルは、リジッドで防水性がある矩形のタイル状部品であって、おもて面に多数のＬＥＤランプが行列配置され、これらＬＥＤランプの駆動制御回路が内蔵されている。
【発明の詳細な説明】
【０００１】
【発明の属する技術分野】
この発明は、カーテンウォール建築物の外周壁に大画面ＬＥＤ表示装置を組み込む方法、大画面ＬＥＤ表示装置を外周壁に組み込んだカーテンウォール建築物、カーテンウォール建築物に組み込むＬＥＤパネルモジュールに関する。
【０００２】
【従来の技術】
都会のビル街では、ビルの壁面に設置された大画面の公衆ディスプレイを目にすることが多い。最近では、ＬＥＤランプを表示素子としたドットマトリクス型のフルカラー大画面ＬＥＤ表示装置が公衆ディスプレイとして多用されており、テレビ映像と同様な多彩な映像を送りだしている。
【０００３】
この種の公衆ディスプレイとして使用される大画面ＬＥＤ表示装置は、既存のビルの壁面に外付けで据え付ける構造のものと、ビル壁面にあらかじめ設計した開口部を形成しておき、その開口部を埋め尽くすように据え付ける構造のものとが代表的である。これらの構造の装置はいずれも、現実的な施工性やメンテナンス性などの面で、多階層にわたる巨大な画面のディスプレイを構成するのに適しいるとは言い難いものであった。
【０００４】
このような技術的背景のもとで、出願人らは先に、透明ガラス外壁の内側に外に向けた巨大画面ディスプレイを装備した高層建築物（特開２０００−１３２１２３号公報）の発明をなした。この発明を適用した高層建築物は、実際に施工されて運用されている。またこれに関連し、出願人らは、巨大画面ディスプレイを構成するルーバー構造モジュール（特開２０００−２０００５４号公報）の発明をなしたり、低密度なドット構成の大画面のドットマトリクス型ディスプレイに高密度なドット構成のビットマップ画像データを表示する制御方法および表示システム（特許第３３１３３１２号公報）やフルカラーＬＥＤディスプレイシステム（特許第３２９４５９７号公報）の発明をなし、これらの技術も公衆ディスプレイに適用して実施している。
【０００５】
【発明が解決しようとする課題】
出願人らが開発して現に実施している「透明ガラス外壁の内側に外に向けた巨大画面ディスプレイを装備した高層建築物」では、巨大画面ディスプレイを組み込むことを前提としてビルを設計する必要性があった。
これに対して、この発明では、一般的なカーテンウォール構法の建築物の外周壁の一部に容易に大画面ＬＥＤ表示装置を組み込むことを目的としている。
【０００６】
【課題を解決するための手段】
前記の目的を達成するための第１の発明は、つぎの事項（１）〜（４）により特定される方法の発明である。
（１）構造躯体のスラブや梁に固定された支持機構に多数のパネル材を連接して固定することで外周壁を構成するカーテンウォール建築物において、外周壁の一部として大画面ＬＥＤ表示装置を組み込む方法である。
（２）リジッドで防水性がある矩形のタイル状部品であって、おもて面に多数のＬＥＤランプが行列配置され、これらＬＥＤランプの駆動制御回路が内蔵された多数のＬＥＤタイルを設ける。
（３）前記パネル材として前記支持機構に固定されるタイル貼付パネルを設け、このタイル貼付パネルの外面側に前記ＬＥＤタイルを隙間なく連接して固定するとともに、これらＬＥＤタイルの裏側において電気的な配線を施すことでＬＥＤパネルモジュールを構成する。
（４）前記ＬＥＤパネルモジュールのタイル貼付パネルを前記支持機構に固定することで、このＬＥＤパネルモジュールを外周壁の一部となす。
【０００７】
また、第２の発明は、つぎの事項（２１）〜（２４）により特定される物の発明である。
（２１）構造躯体のスラブや梁に固定された支持機構に多数のパネル材を連接して固定することで外周壁を構成するカーテンウォール建築物であって、外周壁の一部として大画面ＬＥＤ表示装置が組み込まれている。
（２２）前記パネル材として前記支持機構に固定されるタイル貼付パネルを有し、このタイル貼付パネルの外面側に多数のＬＥＤタイルが隙間なく連接して固定されているとともに、これらＬＥＤタイルの裏側において電気的な配線が施されてＬＥＤパネルモジュールが構成されている。
（２３）前記ＬＥＤタイルは、リジッドで防水性がある矩形のタイル状部品であって、おもて面に多数のＬＥＤランプが行列配置され、これらＬＥＤランプの駆動制御回路が内蔵されている。
（２４）前記ＬＥＤパネルモジュールのタイル貼付パネルが前記支持機構に固定され、このＬＥＤパネルモジュールが外周壁の一部となっている。
【０００８】
また、第３の発明は、つぎの事項（３１）〜（３３）により特定される物の発明である。
（３１）第２の発明に係るカーテンウォール建築物において、外周壁の一部として組み込まれる大画面ＬＥＤ表示装置を構成するためのＬＥＤパネルモジュールである。
（３２）前記パネル材として前記支持機構に固定されるタイル貼付パネルを有し、このタイル貼付パネルの外面側に多数のＬＥＤタイルが隙間なく連接して固定されているとともに、これらＬＥＤタイルの裏側において電気的な配線が施されてＬＥＤパネルモジュールが構成されている。
（３３）前記ＬＥＤタイルは、リジッドで防水性がある矩形のタイル状部品であって、おもて面に多数のＬＥＤランプが行列配置され、これらＬＥＤランプの駆動制御回路が内蔵されている。
【０００９】
【発明の実施の形態】
＝＝＝ＬＥＤタイル＝＝＝
ＬＥＤタイルを構成する主な部品は、各種の回路部品を実装した図１に示すプリント配線板１と、パネル型ケースのベースとなる図２に示すケース基体２と、図３に示す背面カバー３と、図４に示す内部枠体４と、図５に示す正面カバー５と、図６に示すサブカバー６である。これらを組み合わせて構成したＬＥＤタイルを図７と図８に示している。
【００１０】
《プリント配線板１と実装部品》
プリント配線板１は一辺が２２５ｍｍの正方形であり、その正面に６４個の画素ランプが３０ｍｍのピッチで８×８の行列に配列されている。１つの画素ランプは、２個の赤色ＬＥＤランプ７ｒと１個の緑色ＬＥＤランプ７ｇと１個の青色ＬＥＤランプ７ｂとの集合体である。これら４個のランプは２×２の行列でできるだけ近接して配置されており、４個の集合体（画素ランプ７と記す）の占有空間の縦寸法はほぼ１０ｍｍ以内に収まり、横寸法はほぼ１２ｍｍ以内に収まる。したがって、隣り合う画素ランプ７と画素ランプ７と間には縦方向にほぼ２０ｍｍの大きな間隔があり、横方向にほぼ１８ｍｍの大きな間隔がある。
【００１１】
プリント配線板１の正面における各画素ランプ７の大きな間隔部分に複数の回路素子が表面実装されており、各画素ランプ７を表示駆動する回路系と、ＤＣ／ＤＣコンバータからなる電源回路系とが構成されている。配線板１に分散配置された１２個のＱＦＰタイプ集積回路８が表示駆動回路系の主要素である。配線板１の左右両辺近くに４つのＤＣ／ＤＣコンバータが実装されている。１つのＤＣ／ＤＣコンバータは、１個のスイッチング制御用のＳＯＰタイプ集積回路９と、３個のインダクタ１０と、１個の主スイッチングトランジスタ１１と、１個の主キャパシタ１２などによって構成されている。そのほか、大画面ディスプレイを構成する際の他のＬＥＤタイルとデータ転送するための回路系や、水晶発振回路などが実装されている。
【００１２】
またプリント配線板１の下辺側には、入力信号ケーブル１３と出力信号ケーブル１４と電源ケーブル１５が回路接続されている。これら各ケーブルの先端には防水型コネクタ１３ａ・１４ａ・１５ａが一体化されている。多数のＬＥＤタイルにより大画面ディスプレイを構成する際に、あるＬＥＤタイルの入力信号ケーブル１３と隣のＬＥＤタイルの出力信号ケーブル１４とをコネクタ接続することで、各ＬＥＤタイルを横断するデータ転送路が形成され、表示制御装置から送り出される表示データ信号とコントロール信号が各ＬＥＤタイルに分配される。電源ケーブル１５のコネクタ１５ａは所定の直流電源に接続される。
【００１３】
プリント配線板１の下辺には３本のケーブル１３・１４・１５を通すための切欠部１６が形成されている。また各ケーブル１３・１４・１５の根元部分（配線板１の下辺に位置する部分）にはケーブル固定用の防水駒１７がケーブルを取り囲むように装着されている。
またプリント配線板１には、四隅寄りにそれぞれ１個の大穴３８が形成されているとともに、多数の中穴３９と、いくつかの小穴が分散して形成されている。
【００１４】
《ケース基体２と背面カバー３》
ケース基体２はプラスチック成形品であり、図２に示すように、矩形の外枠体１８と、その背部において外枠体１８をリブで縦横に連結する骨格体１９と、パネル面に垂直な姿勢で骨格体１９に一体形成されたネジ挿通用の４個の大径の筒状体２０と、同様に骨格体１９に一体成形されたタッピングネジ固定用の小径のネジ止め用ボス２１（長いボスと短いボスとがある）と、同様に骨格体１９に一体成形された位置決め突起２２とを有している。
【００１５】
外枠体１８の左辺部分は外壁２３ａと内壁２３ｂの二重構造になっており、下辺部分は外壁２４ａと内壁２４ｂの二重構造になっている。外枠体１８の上辺と右辺と左辺内壁２３ｂと下辺内壁２４ｂとによって一辺がほぼ２２５ｍｍの正方形の基板収容空間が形成されている。また外枠体１８の外形は一辺がほぼ２４０ｍｍの正方形である。外枠体１８の下辺の外壁２４ａと内壁２４ｂとの間隔部分（内寸はほぼ１１ｍｍである）が前述したケーブル・コネクタ収容部である。
【００１６】
背面カバー３はアルミニウム板のプレス成形品であり、図３に示すように、プリント配線板１よりわずかに小寸法の正方形の板に多数の穴が形成されているとともに絞りによる凹凸が形成されている。図７・図８に示すように、背面カバー３は、ケース基体２の正面側から外枠体１８にはめ込まれて骨格体１９に接して固定される。つまり、骨格体１９から突出している筒状体２０・ネジ止め用ボス２１・位置決め突起２２に干渉しないように、背面カバー３に多数の穴が形成されている。
【００１７】
《ケース基体２とプリント配線板１》
図７・図８に示すように、プリント配線板１は背面カバー３の上にわずかな間隔を保って重なるように、ケース基体１の外枠体１８にはめ込まれている。プリント配線板１にも骨格体１９から突出した筒状体２０や長いネジ止め用ボス２１と干渉しない穴が形成されている。プリント配線板１は短いネジ止め用ボス２１の上に当接し、配線板１の正面からそのボス２１にタッピングネジを捩じ込むことで配線板１が固定される。
【００１８】
また前述したように、プリント配線板１の下辺側に引き出されている３本のケーブル１３・１４・１５の根元近傍部分にはそれぞれ防水駒１７が装着されているが、これら防水駒１７が外枠体１８の下辺の内壁２４ｂに形成された３個の切欠凹部２５（図２）にはめ込まれる。これにより各ケーブル１３・１４・１５の引き出し位置が規制されるとともに、引き出し部の防水性が高まる構造になっている。
【００１９】
《内部枠体４と正面カバー５》
内部枠体４はプラスチック成形品であり、図４に示すように細いリブの格子からなり、ケース基体２の外枠体１８にはめ込まれたプリント配線板１の上に重ねるように装着される。内部枠体４の格子はプリント配線板１に実装された画素ランプ７や回路部品に干渉しないとともに、骨格体１９から突出している４本の筒状体２０を貫通させる穴２６が形成されている。
【００２０】
正面カバー５もプラスチック成形品である。図５に示すように、正面カバー５の外形は縦寸法がほぼ２２８ｍｍで横寸法がほぼ２４０ｍｍの長方形であり、ケース基体２の外枠体１８の右辺と左辺外壁２３ａと上辺と下辺内壁２４ｂの上面にぴったりと重なる大きさである。正面カバー５には、各画素ランプ７を外部に露呈させる６４個の矩形のランプ窓２７が３０ｍｍのピッチで縦横に配列形成されている。正面カバー５に形成された４個の大きな穴２８には骨格体１９から突出している筒状体２０が覗いている。正面カバー５に形成された４個の小さな穴２９の直下に骨格体１９から突出している長いネジ止め用ボス２１の上端が当接しており、ここにタッピングネジを捩じ込むことで正面カバー５がケース基体２に固定される。正面カバー５における各ランプ窓２７の上部に、太陽光などが画素ランプ７に直射するのを防止する目的のヒサシ３０が形成されている。
【００２１】
ケース基体２に組み付けられた背面カバー３とプリント配線板１の間の空間にエポキシ樹脂などが充填されるとともに、内部枠体４が組み付けられたプリント配線板１の正面側に一定の厚みでエポキシ樹脂などが充填される。これによってプリント配線板１が収納されたパネル型ケース内をほぼ完全に防水している。
【００２２】
《防水駒１７の装着部分の詳細》
３本の各ケーブル１３・１４・１５と各防水駒１７の関係、また各防水駒１７と外枠体１８の下辺内壁２４ｂに形成された各切欠凹部２５との関係はみんな同様なので、ここでは図９と図１０に基づいてケーブル１３を代表として説明する。図１０に点線で示すように、ケーブル１３の所定位置の外周に金属リング４０を装着してケーブル１３にかしめて固定し、このリング４０の装着部分を埋め込むようにプラスチックのインサート成形によって防水駒１７をケーブル１３の周囲に一体化している。したがって、ケーブル１３と防水駒１７との接合面はほぼ完全に気密化されているとともに、ケーブル１３と金属リング４０のかしめ結合とこれらを埋め込んでいるプラスチック製防水駒１７との一体構造により、防水駒１７とケーブル１３とがずれることはない（金属リング４０がアンカーのように機能する）。
【００２３】
防水駒１７は、図９に示すようにほぼ直方体をなしており、その正面よりの両側面に縦にスリット４１が形成されている。外枠体１８の下辺内壁２４ｂに形成された各切欠凹部２５は、防水駒１７の正面の寸法に合わせた長方形をなしており、その切欠の両側部には防水駒１７のスリット４１にぴったりはまり込む形状の縦リブ４２が形成されている。また、防水駒１７には縦に貫通したネジ挿通穴４３が形成されている。
【００２４】
図１０に示すように、スリット４１と縦リブ４２とをかみ合わせて防水駒１７を外枠体下辺内壁２４ｂの切欠凹部２５に装着することで、切欠凹部２５による開口が防水駒１７で埋められる。この状態では、防水駒１７のネジ挿通穴４３がケース基体２に一体形成されているネジ止め用ボス２１に合致し、この穴４３にタッピングネジ４４を挿通し、ネジ止め用ボス２１に捩じ込むことで防水駒１７をケース基体２に固定する。
【００２５】
図１０において、細かなドットで表現しているのは、プリント配線板１の正面側にほぼ一定の厚みで充填した防水樹脂（エポキシ、シリコン、耐候性ウレタンなど）である。以上の構造によって各ケーブル１３・１４・１５の引き出し部分はほぼ完璧に防水される。
【００２６】
《ケーブル・コネクタ収容部とサブカバー６》
以上説明したように、ケース基体２の下辺部分のケーブル・コネクタ収容部の正面は前記の正面カバー５によっては覆われていない。この部分を覆うのは、この部分にぴったり合わせた寸法の細長いサブカバー６である。サブカバー６はスナップフィット機構によりケース基体２に着脱自在に装着される。サブカバー６もプラスチック成形品であり、図６に示すように、サブカバー６の背面の３箇所に弾性爪３１が形成されている。これに対応して外枠体１８の下辺外壁２４ａと内壁２４ｂとの間の３箇所に係合部３２が形成されている。
【００２７】
＝＝＝ＬＥＤパネルモジュール＝＝＝
図１１と図１２に示すのは、ここまで詳述したＬＥＤタイル５０を用いて構成するＬＥＤパネルモジュール６０の構造である。この実施例のＬＥＤパネルモジュール６０は、タイル貼付パネル５１の外面側に、３０個のＬＥＤタイル５０を５行６列に隙間なく連接して固定するとともに、これらＬＥＤタイル５０の裏側において電気的な配線を施したものである。
【００２８】
タイル貼付パネル５１は、四角い金属製の背面板５２と、背面板５２の外面側に等間隔で水平に固着された５本のチャンネル材５３と、背面板５２の四角の外周に一体形成された薄肉外縁５４とからなる。薄肉外縁５４が、カーテンウォール建築物のマリオンに固定されたアルミサッシ５５に、窓ガラスと同様に、後述する構造で挟み込まれて固定されるものである。
【００２９】
ＬＥＤタイル５０には前述した４個の筒状体２０が正面から背面に貫通しており、ここにネジを通してＬＥＤタイル５０を他の物体にネジ止め固定することができる。タイル貼付パネル５１のチャンネル材５３には、ＬＥＤタイル５０を４本のネジで固定するための４個のネジ穴５６が形成されている。このネジ穴５６を位置基準にして、６０個のＬＥＤタイル５０を５行６列に整然と連接して固定する。これで、各ＬＥＤタイル５０のケース基体２の外枠体１８同士が接合し、１つのＬＥＤタイル５０内の画素ランプ７のピッチが３０ｍｍであり、隣接するＬＥＤタイル５０間の画素ランプ７の配列ピッチも３０ｍｍになる。
【００３０】
６０個のＬＥＤタイルをタイル貼付パネル５１に据え付ける際に、サブカバー６を取り外した状態で、隣り合うＬＥＤタイル５０の入力信号ケーブルコネクタ１３ａと出力信号ケーブルコネクタ１４ｂとを接続するとともに、電源ケーブルコネクタ１５ａに給電ケーブルコネクタ（図示していない）を接続する。そして、それらコネクタを各ＬＥＤタイルのケーブル・コネクタ収納部の空間に収めた後、そこにサブカバー６を被せて装着する。また、外枠体１８の左辺の外壁２３ａと内壁３ｂとの間の空間を電源ケーブルの接続収納空間として利用したり、給電系統の接続機構に利用することができる。
【００３１】
タイル貼付パネル５１の３箇所に、電気ケーブル挿通口５７が設けられており、表示装置としてのデータ信号や制御信号の伝送ケーブルおよび電源ケーブルがこの挿通口５７を通して布線される。電気ケーブル挿通口５７には、念のため、雨水の浸入を防止する構造５８が付設されている。
【００３２】
＝＝＝カーテンウォール構法＝＝＝
よく知られているように、カーテンウォール構法では、建築物の構造躯体のスラブや梁にマリオンを適宜間隔に接合し、このマリオンの間にサッシや無目を介してパネル材を固定して外周壁を構成する。カーテンウォールのパネル材としては、ガラスパネル・金属パネル・ＰＣパネルなど、いろいろな材料が用いられている。この発明においては、ここまで説明したＬＥＤパネルモジュール６０を建築物の外周壁の一部を構成するパネル材としてマリオンやサッシや無目などからなる支持機構に固定するものである。
【００３３】
図１３と図１４に示すのは、ＬＥＤパネルモジュール６０を支持機構に固定する構造である。図１３において、符号６１で示すのは、マリオンに固定されたアルミサッシ横材である。図１４において、符号６２で示すのは、マリオンに固定されたアルミサッシ縦材である。両図に示すように、矩形をなすＬＥＤパネルモジュール６０の薄肉外縁５４をアルミサッシ５５の横材６１と縦材６２に防水パッキン６３を介して固定する。この固定構造は、符号６４で示すガラスパネルの固定構造となんら変わらない。
【００３４】
＝＝＝大画面ＬＥＤ表示装置＝＝＝
図１５に示すのは、これまで詳述したＬＥＤパネルモジュール６０を用い、外周壁に大画面ＬＥＤ表示装置を組み込んだカーテンウォール建築物の外観の一例である。この実施例では、建築物の正面の外周壁に、ＬＥＤパネルモジュール６０を縦方向に８個連接するとともに横方向に２列連接しており、合計１６個のＬＥＤパネルモジュール６０により大画面ＬＥＤ表示装置を構成している。建築物の正面外周壁において、これら１６個のＬＥＤパネルモジュール６０の周辺の外周壁はガラスパネル６４を主として構成されている。この例の大画面ＬＥＤ表示装置の画面の高さは、建築物の３階フロア付近から７階フロア付近まで及んでいる。
【００３５】
【発明の効果】
この発明によれば、成熟した建築技術であるところのカーテンウォール構法そのままで、なんら特殊な建築技術を用いることなく、ＬＥＤタイルを行列配置して一体化したＬＥＤパネルモジュールをカーテンウォールのパネル材の一部としてマリオンやサッシや無目などの支持機構に固定するだけで、きわめて簡単に建築物の外周壁に大画面ＬＥＤ表示装置を組み込むことができる。この発明は、カーテンウォール建築物を新築するときだけでなく、既設のカーテンウォール建築物においてガラスパネルをＬＥＤパネルモジュールに交換するようにも実施することができる。また、この発明を実施する際の施工プロセスが簡単であることに加えて、施工して運用されている大画面ＬＥＤ表示装置のメンテナンス作業なども、建築物の内部からきわめて簡単に行える。
【図面の簡単な説明】
【図１】この発明の一実施例のＬＥＤタイルにおけるプリント配線板の構成図である。
【図２】この発明の一実施例のＬＥＤタイルにおけるケース基体の構成図である。
【図３】この発明の一実施例のＬＥＤタイルにおける背面カバーの構成図である。
【図４】この発明の一実施例のＬＥＤタイルにおける内部枠体の構成図である。
【図５】この発明の一実施例のＬＥＤタイルにおける正面カバーの構成図である。
【図６】この発明の一実施例のＬＥＤタイルにおけるサブカバーの構成図である。
【図７】この発明の一実施例のＬＥＤタイルの正面図である。
【図８】同上ＬＥＤタイルの断面図である。
【図９】同上ＬＥＤタイルにおける防水駒の装着部分の詳細を示す分解斜視図である。
【図１０】同上防水駒装着部分の詳細を示す平面図である。
【図１１】この発明の一実施例におけるＬＥＤパネルモジュールの分解斜視図である。
【図１２】同上ＬＥＤパネルモジュールの分解状態の正面図・底面図・側面図である。
【図１３】同上ＬＥＤパネルモジュールとアルミサッシ横材との結合構造図である。
【図１４】同上ＬＥＤパネルモジュールとアルミサッシ縦材との結合構造図である。
【図１５】この発明の一実施例による大画面ＬＥＤ表示装置を組み込んだカーテンウォール建築物の外観図である。
【符号の説明】
１  プリント配線板                  ２  ケース基体
３  背面カバー                      ４  内部枠体
５  正面カバー                      ６  サブカバー
７  画素ランプ                      ７ｒ  赤色ＬＥＤランプ
７ｇ  緑色ＬＥＤランプ              ７ｂ  青色ＬＥＤランプ
８  ＱＦＰタイプ集積回路            ９  ＳＯＰタイプ集積回路
１０  インダクタ                    １１  主スイッチングトランジスタ
１２  キャパシタ                    １３  入力信号ケーブル
１４  出力信号ケーブル              １５  電源ケーブル
１３ａ・１４ａ・１５ａ  防水型コネクタ
１６  切欠部                        １７  防水駒
１８  外枠体                        １９  骨格体
２０  筒状体                        ２１  ネジ止め用ボス
２２  位置決め突起                  ２３ａ  左辺の外壁
２３ｂ  左辺の内壁                  ２４ａ  下辺の外壁
２４ｂ  下辺の内壁                  ２７  ランプ窓
３０  ヒサシ                        ３１  弾性爪
３２  係合部                        ５０  ＬＥＤタイル
５１  タイル貼付パネル              ５２  背面板
５３  チャンネル材                  ５４  薄肉外縁
５５  ネジ穴                        ５６  アルミサッシ
５７  電気ケーブル挿通口            ５８  雨水の浸入を防ぐ構造
６０  ＬＥＤパネルモジュール        ６１  アルミサッシ横材
６２  アルミサッシ縦材              ６３  防水パッキン
６４  ガラスパネル
【図１】
2004191401.tif 000003
【図２】
2004191401.tif 000004
【図３】
2004191401.tif 000005
【図４】
2004191401.tif 000006
【図５】
2004191401.tif 000007
【図６】
2004191401.tif 000008
【図７】
2004191401.tif 000009
【図８】
2004191401.tif 000010
【図９】
2004191401.tif 000011
【図１０】
2004191401.tif 000012
【図１１】
2004191401.tif 000013
【図１２】
2004191401.tif 000014
【図１３】
2004191401.tif 000015
【図１４】
2004191401.tif 000016
【図１５】
2004191401.tif 000017